(57)【特許請求の範囲】
【請求項１】
第一位置と第二位置との間で移動自在に構成される第一可動役物と、
前記第一可動役物を駆動する第一駆動源と、
第三位置と第四位置との間で移動自在に構成され、当該第四位置にある場合、前記第二位置にある前記第一可動役物と物理的に干渉するように配置される第二可動役物と、
前記第二可動役物を駆動する第二駆動源とを備えた遊技機において、
前記第一可動役物の前記第一位置から前記第二位置への移動を禁止する禁止位置と、前記第一可動役物の前記第一位置から前記第二位置への移動を許容する許容位置との間で移動自在に構成される規制部材と、
前記規制部材を前記禁止位置に向けて付勢する付勢手段と、
前記規制部材に連結又は一体に形成されると共に、前記第二可動役物が前記第四位置から前記第三位置に向けて移動するときの経路上に変位可能に配置され、前記第二可動役物が前記第四位置に位置する場合には、前記付勢手段の付勢力により前記規制部材を前記禁止位置に位置させる一方、前記第二可動役物の前記第四位置から前記第三位置への移動時には、前記第二可動役物が当接して前記第二可動役物により押圧されて移動することで、前記規制部材を前記付勢手段の付勢力に抗して前記許容位置に移動させる規制制御部材とを具備することを特徴とする遊技機。
【発明の詳細な説明】
【技術分野】
【０００１】
本発明は、複数の可動役物をそれぞれ移動させることで演出を行う遊技機の技術に関する。
【背景技術】
【０００２】
従来、複数の可動役物をそれぞれ移動させることで演出を行う遊技機の技術は公知となっている。例えば、特許文献１及び特許文献２に記載の如くである。
【０００３】
特許文献１及び特許文献２に記載の遊技機では、複数の可動役物が作動（移動）する際に生じる当該可動役物同士の物理的な干渉（接触）を回避するため、複数の位置センサ及び制御プログラムを用いた各々の可動役物の位置を監視し、一の可動役物の位置が他の可動役物と干渉しない位置にあることを検出した場合に限り、当該他の可動役物を作動させるように制御している。
【０００４】
しかし、特許文献１及び特許文献２に記載の遊技機では、位置センサの故障や制御プログラムのバグ等が生じると、複数の可動役物が誤って同時に作動し、当該可動役物同士が衝突して損傷するおそれがある。
【先行技術文献】
【特許文献】
【０００５】
【特許文献１】特開２０１０−１１９５４９号公報
【特許文献２】特開２０１１−８７６６５号公報
【発明の概要】
【発明が解決しようとする課題】
【０００６】
本発明は以上の如き状況に鑑みてなされたものであり、その解決しようとする課題は、２つの可動役物同士の干渉を回避することができる遊技機を提供するものである。
【課題を解決するための手段】
【０００７】
本発明の解決しようとする課題は以上の如くであり、次にこの課題を解決するための手段を説明する。
【０００８】
即ち、請求項１においては、第一位置と第二位置との間で移動自在に構成される第一可動役物と、前記第一可動役物を駆動する第一駆動源と、第三位置と第四位置との間で移動自在に構成され、当該第四位置にある場合、前記第二位置にある前記第一可動役物と物理的に干渉するように配置される第二可動役物と、前記第二可動役物を駆動する第二駆動源とを備えた遊技機において、前記第一可動役物の前記第一位置から前記第二位置への移動を禁止する禁止位置と、前記第一可動役物の前記第一位置から前記第二位置への移動を許容する許容位置との間で移動自在に構成される規制部材と、前記規制部材を前記禁止位置に向けて付勢する付勢手段と、前記規制部材に連結又は一体に形成されると共に、前記第二可動役物が前記第四位置から前記第三位置に向けて移動するときの経路上に変位可能に配置され、前記第二可動役物が前記第四位置に位置する場合には、前記付勢手段の付勢力により前記規制部材を前記禁止位置に位置させる一方、前記第二可動役物の前記第四位置から前記第三位置への移動時には、前記第二可動役物が当接して前記第二可動役物により押圧されて移動することで、前記規制部材を前記付勢手段の付勢力に抗して前記許容位置に移動させる規制制御部材とを具備するものである。
【発明の効果】
【００１０】
本発明の効果として、以下に示すような効果を奏する。
【００１１】
請求項１においては、２つの可動役物同士の干渉を回避することができる。
【図面の簡単な説明】
【００１２】
【図１】本発明の第一実施形態に係る遊技機の全体的な構成を示した正面図。
【図２】同じく、遊技機の窓枠が開放された状態を示した前方斜視図。
【図３】同じく、遊技盤を示した正面図。
【図４】第一可動演出装置及び第二可動演出装置を示す正面図。
【図５】同じく、背面図。
【図６】第一位置における第一可動演出装置を示す正面図。
【図７】同じく、背面図。
【図８】同じく、第一ベース部材及び第二ベース部材の前部の図示を省略した正面図。
【図９】同じく、第一ベース部材及び第二ベース部材の図示を省略した背面図。
【図１０】可動体及び第二アームを示した背面図。
【図１１】第二位置における第一可動演出装置を示す正面図。
【図１２】同じく、背面図。
【図１３】第三位置における第二可動演出装置を示す正面図。
【図１４】同じく、背面図。
【図１５】右側昇降機構を示す正面図。
【図１６】同じく、背面図。
【図１７】左側昇降機構を示す正面図。
【図１８】同じく、背面図。
【図１９】第四位置における第二可動演出装置を示す正面図。
【図２０】同じく、背面図。
【図２１】第一可動演出装置及び第二可動演出装置の位置関係を示す正面図。
【図２２】規制制御機構を示す側面概略図。
【図２３】第二位置への移動が禁止されている第一可動演出装置、第二可動演出装置、規制部材及び規制制御機構を示す正面図。
【図２４】禁止位置における規制部材の様子を示す正面概略図。
【図２５】同じく、背面概略図。
【図２６】第二位置への移動が許容されている第一可動演出装置、第二可動演出装置、規制部材及び規制制御機構を示す正面図。
【図２７】許容位置における規制部材の様子を示す正面概略図。
【図２８】同じく、背面概略図。
【図２９】第二位置に移動した第一可動演出装置、第二可動演出装置、規制部材及び規制制御機構を示す正面図。
【図３０】第二実施形態に係る規制部材が禁止位置にある様子を示す背面図。
【図３１】同じく、許容位置にある様子を示す背面図。
【発明を実施するための形態】
【００１３】
まず、本発明に係る遊技機の第一実施形態である遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１から図３が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１７】
窓枠４は、中央が開口された略平板状に形成される枠体である。窓枠４は、正面視で中枠３の下部を除く略全面に亘って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１８】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１９】
遊技盤６は、遊技球が転動する領域である遊技領域２５が形成される部材である。遊技盤６は、窓枠４の後方であって、正面視で中枠３の下部を除く略全面に亘って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２０】
次に、遊技盤６の構成について、図３を用いてさらに詳細に説明する。
【００２１】
遊技盤６は、図３に示すように、遊技板１０と、ガイドレール１１と、センター役物１２と、図柄表示装置１３と、可変入賞装置１４と、大入賞装置１５と、アウト口１６と、第一可動演出装置１００と、第二可動演出装置３００と、規制部材４００（図５参照）と、規制制御機構５００（図５参照）等により構成される。
【００２２】
遊技板１０は、四隅が適宜に切り欠かれた略平板状に形成される部材である。遊技板１０には、遊技盤６を構成する各種の遊技部品が取り付けられる。
【００２３】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２４】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に亘って形成される孔に前方から挿入され、ボルト等によって取り付けられる。
【００２５】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２６】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の左右中央部であってセンター役物１２の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２７】
大入賞装置１５は、所定の大当たり抽選により大当たりが選択されると、大入賞口１５ａを開放して遊技球が入球（入賞）可能に構成される装置である。大入賞装置１５は、遊技領域２５の左右中央部であって可変入賞装置１４の下方に配置される。なお、大入賞装置１５は、開放した大入賞口１５ａに遊技球が入球すると図示せぬ賞球払出装置によって所定数の遊技球（賞球）が払い出されるように構成される。
【００２８】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２９】
以下では、第一可動演出装置１００、第二可動演出装置３００、規制部材４００及び規制制御機構５００の構成について詳細に説明する。
【００３０】
まず、第一可動演出装置１００の構成について詳細に説明する。
【００３１】
図３から図１２までに示す第一可動演出装置１００は、液晶画面２６に表示される図柄遊技に応じて可動し、遊技者に視覚的な印象（インパクト）を与えるためのものである。第一可動演出装置１００は、液晶画面２６の概ね上方に配置されるとともに、前後方向においてセンター役物１２と液晶画面２６との間、すなわちセンター役物１２よりも後方であって液晶画面２６よりも前方に配置される。第一可動演出装置１００は、主として、第一ベース部材１１０と、第二ベース部材１２０と、モータ１３０と、回転部材１４０と、伝達アーム１５０と、第一アーム１６０と、位置センサ１７０と、第二アーム１８０と、スプリング１９０と、第一可動役物２００と、により構成される。
【００３２】
図６及び図７に示す第一ベース部材１１０は、後述するモータ１３０、第一アーム１６０及び位置センサ１７０等を支持する略箱状の部材である。第一ベース部材１１０は、遊技盤６（図３参照）に適宜支持される。
【００３３】
また、第一ベース部材１１０は、第一支軸１１１、ガイド孔１１２、ガイド軸１１３・１１３及び掛止部１１４を具備する。
【００３４】
第一支軸１１１は、後述する第一アーム１６０を回動可能に支持するためのものである。第一支軸１１１は、第一ベース部材１１０の右端部近傍に設けられ、図柄表示装置１３（液晶画面２６）の上方に配置される（図５参照）。当該第一支軸１１１は、その軸線を前後方向に向けた状態で、第一ベース部材１１０から後方に向かって延設される。
【００３５】
ガイド孔１１２は、第一ベース部材１１０の右端部近傍であって第一支軸１１１の上方において、当該第一ベース部材１１０を前後方向に貫通するように形成される。ガイド孔１１２は、正面視において、第一支軸１１１を中心とする円弧状となるように形成される。
【００３６】
図５及び図７に示すガイド軸１１３・１１３は、後述する規制部材４００を所定の方向（上下方向）に案内するためのものである。ガイド軸１１３・１１３は、第一ベース部材１１０の左端部近傍において、互いに所定間隔をおいて上下に並べて設けられる。当該ガイド軸１１３・１１３は、それぞれその軸線方向を前後方向に向けた状態で、第一ベース部材１１０から後方に向かって延設される。
【００３７】
掛止部１１４は、後述するスプリング４５０を掛止するためのものである。掛止部１１４は、第一ベース部材１１０の後面であって上側に配置されたガイド軸１１３の右方に設けられる。当該掛止部１１４は第一ベース部材１１０の後面に形成された穴により構成され、当該穴に後述するスプリング４５０の端部を掛止することができる。
【００３８】
図６から図８までに示す第二ベース部材１２０は、後述する第二アーム１８０を支持する略箱状の部材である。第二ベース部材１２０は、第一ベース部材１１０の右方に配置される。第二ベース部材１２０は、遊技盤６（図３参照）に適宜支持される。なお、図８においては、説明の便宜上、第二ベース部材１２０の前側部分の図示を省略している。
【００３９】
また、第二ベース部材１２０は、第二支軸１２１及び開口部１２２を具備する。
【００４０】
第二支軸１２１は、後述する第二アーム１８０を回動可能に支持するためのものである。第二支軸１２１は、第二ベース部材１２０の下端部近傍に設けられ、図柄表示装置１３（液晶画面２６）の右側方に配置される（図５参照）。当該第二支軸１２１は、その軸線を前後方向に向けた状態で、第二ベース部材１２０の前側面から後側面にわたって配置される。また、第二支軸１２１は、第一支軸１１１の右下方に位置することになる。
【００４１】
開口部１２２は、第二ベース部材１２０の下端部近傍であって、第二支軸１２１の概ね左上方において、当該第二ベース部材１２０の内部と外部とを連通するように形成される。
【００４２】
図６、図８及び図９に示すモータ１３０は、本発明に係る第一駆動源の実施の一形態であり、後述する第一アーム１６０を回動させるためのものである。
モータ１３０は、出力軸１３１（図１２参照）を後方に向けた状態で配置される。モータ１３０は、第一ベース部材１１０の前側面の上端部近傍に固定される。当該モータ１３０の出力軸１３１は、第一ベース部材１１０の第一支軸１１１の略左方に配置される。また、当該モータ１３０の出力軸１３１は当該第一ベース部材１１０を前後方向に貫通し、後方へと延設される。
【００４３】
図７から図９までに示す回転部材１４０は、モータ１３０からの駆動力を伝達するものである。
回転部材１４０は、略円形板状の部材である。回転部材１４０は、その板面を前後方向に向けた状態で配置される。回転部材１４０の中心部は、モータ１３０の出力軸１３１に相対回転不能となるように連結される（図１２参照）。
【００４４】
また、回転部材１４０は、回動軸１４１及び切欠部１４２を具備する。
【００４５】
図７及び図９に示す回動軸１４１は、回転部材１４０の周縁部に配置され、その軸線を前後方向に向けた状態で、回転部材１４０の後側面から後方に向けて延設される。
【００４６】
図７から図９までに示す切欠部１４２は、回転部材１４０の円周の一部を切り欠いて形成される部分である。切欠部１４２は、回転部材１４０が図７から図９までに示す状態（回転位置）にある場合、上下方向に延びる辺及び左右方向に延びる辺により構成される。
【００４７】
図７から図９までに示す伝達アーム１５０は、回転部材１４０からの駆動力を伝達するものである。
伝達アーム１５０は、略矩形板状の部材であり、長手方向を略左右方向に向けて配置される。伝達アーム１５０は、その板面を前後方向に向けて配置される。伝達アーム１５０の長手方向両端部には、それぞれ当該伝達アーム１５０を前後方向に貫通する孔が形成される。伝達アーム１５０に形成された２つの孔のうち一方の孔（図７及び図９に示す左側の孔）には、その前方から回転部材１４０の回動軸１４１が挿通される。これによって、伝達アーム１５０が回動軸１４１に回動可能となるように連結される。
【００４８】
図６から図９までに示す第一アーム１６０は、後述する第一可動役物２００を支持するものである。
第一アーム１６０は、細長い板状の部材であり、長手方向を略左右方向に向けて配置される。第一アーム１６０は、図柄表示装置１３（液晶画面２６）の上方に配置され、第一可動役物２００を略水平に支持する。第一アーム１６０は、その板面を前後方向に向けて配置される。第一アーム１６０は、正面視において第一可動役物２００と重複するのを避けるように適宜湾曲した形状に形成される。第一アーム１６０は、透光性を有する部材で構成される。第一アーム１６０の長手方向両端部には、それぞれ当該第一アーム１６０を前後方向に貫通する孔が形成される。第一アーム１６０に形成された２つの孔のうち一方の孔（図８及び図９に示す左側の孔）には、その前方から第一ベース部材１１０の第一支軸１１１が挿通される。これによって、第一アーム１６０が第一支軸１１１に回動可能に支持される。
【００４９】
また、第一アーム１６０は、延設部１６１、回動軸１６２及び遮蔽片１６３を具備する。
【００５０】
図７から図９までに示す延設部１６１は、第一アーム１６０の一端部（左端部）からさらに略左上方に向かって延設される部分である。当該延設部１６１は、第一アーム１６０と一体的に形成される。
【００５１】
図６及び図８に示す回動軸１６２は、その軸線を前後方向に向けた状態で、延設部１６１の前側面の左上端部近傍から前方に向けて延設される。当該回動軸１６２は、伝達アーム１５０に形成された２つの孔のうち他方の孔（図８に示す右側の孔）に挿通される。これによって、伝達アーム１５０が回動軸１６２に回動可能となるように連結され、ひいては伝達アーム１５０が第一アーム１６０に回動可能となるように連結される。
【００５２】
図８及び図９に示す遮蔽片１６３は、第一アーム１６０に形成された２つの孔のうち一方の孔（図８及び図９に示す左側の孔）の上方に形成される、当該孔を中心とする略扇形板状の部分である。遮蔽片１６３は、第一アーム１６０と一体的に形成される。
【００５３】
位置センサ１７０は、第一アーム１６０の回動位置を検出するものである。
位置センサ１７０は、光を発する発光部と、当該光を受光する受光部と、からなるフォトセンサで構成される。当該発光部と受光部との間に第一アーム１６０の遮蔽片１６３が進入すると、前記発光部からの光が遮られ、前記受光部において光が受光できなくなるため、第一アーム１６０が所定の位置にあることを検出することができる。位置センサ１７０は、図示せぬ制御装置に接続され、当該位置センサ１７０による検出結果は、第一可動演出装置１００やその他の役物の制御等に利用することができる。
【００５４】
図６から図１０までに示す第二アーム１８０は、後述する第一可動役物２００を支持するものである。
第二アーム１８０は、細長い板状の部材であり、長手方向を右下方から左上方まで略斜め方向に向けて配置される。第二アーム１８０は、図柄表示装置１３（液晶画面２６）の右側方から右上方にかけて配置され、第一可動役物２００の斜め下方から第一可動役物２００を支持する。第二アーム１８０は、その板面を前後方向に向けて配置される。第二アーム１８０は、正面視において液晶画面２６と重複するのを避けるように適宜湾曲した形状に形成される。第二アーム１８０は、透光性を有する部材で構成される。第二アーム１８０の長手方向一端部（図８から図１０までに示す右下端部）には、当該第二アーム１８０を前後方向に貫通する孔が形成される。当該第二アーム１８０の孔には、第二ベース部材１２０の第二支軸１２１が挿通される。これによって、第二アーム１８０が第二支軸１２１に回動可能に支持される。
【００５５】
図６から図１０までに示す第一可動役物２００は、移動することにより演出を行い、遊技者に印象（インパクト）を与えるためのものである。第一可動役物２００は、第一可動部材２０１及び第二可動部材２０２を具備する。
【００５６】
第一可動部材２０１は、薙刀を模した形状を有する部材である。第一可動部材２０１は、その長手方向を略左右方向に向けて配置される。第一可動部材２０１の左側は薙刀の刀身部分を、第一可動部材２０１の左右略中央から右側にかけては薙刀の柄部分を、それぞれ模した形状に形成される。
【００５７】
また、第一可動部材２０１は、溝部２０１ａ及び回動軸２０１ｂを具備する。
【００５８】
図７、図９及び図１０に示す溝部２０１ａは、第一可動部材２０１のうち柄を模した部分の後側面に形成される。より詳細には、溝部２０１ａは、第一可動部材２０１の右端部から左右略中央部まで、当該第一可動部材２０１の長手方向と平行に形成される。
【００５９】
回動軸２０１ｂは、その軸線を前後方向に向けた状態で、第一可動部材２０１の後側面（より詳細には、第一可動部材２０１の後側面であって、溝部２０１ａよりも左方）から後方に向けて延設される。回動軸２０１ｂは、第一可動部材２０１の幅方向（短手方向）の中央に位置する。当該回動軸２０１ｂは、第一アーム１６０に形成された２つの孔のうち他方の孔（図７及び図９に示す右側の孔）に挿通される。これによって、第一アーム１６０が回動軸２０１ｂに回動可能となるように連結される。すなわち、当該回動軸２０１ｂが第一アーム１６０と第一可動部材２０１との連結部となる。
【００６０】
図７、図９及び図１０に示す第二可動部材２０２は、略矩形板状の部材である。第二可動部材２０２は、その長手方向が第一可動部材２０１の長手方向と平行になるように配置される。第二可動部材２０２の幅は、第一可動部材２０１の溝部２０１ａの幅と略同一となるように形成される。第二可動部材２０２の後側面の左端部近傍には、第二アーム１８０の他端部（左上端部）が固定される。すなわち、第二アーム１８０は、第二可動部材２０２に回動不能となるように連結される。当該第二アーム１８０と第二可動部材２０２とが連結される部分を、連結部２０２ａとする。連結部２０２ａは、第二可動部材２０２の幅方向（短手方向）の中央に位置する。第二可動部材２０２は、第一可動部材２０１の溝部２０１ａ内に挿入される。これによって、第二可動部材２０２は、第一可動部材２０１に対して相対的に摺動自在になる。この場合、第一可動部材２０１と第二可動部材２０２とは、正面視又は背面視において回動軸２０１ｂと連結部２０２ａとを結ぶ直線と平行な方向に摺動可能となる。
【００６１】
なお、第二可動部材２０２が、第一可動部材２０１の溝部２０１ａから後方に脱落するのを防止するためのストッパ等を、第一可動部材２０１や第二可動部材２０２等に設けても良い。
【００６２】
上述の如く第一可動演出装置１００を構成することにより、第一アーム１６０を第一可動役物２００の左端部（第一端部）側に配置し、当該第一アーム１６０により第一可動役物２００を左端部（第一端部）側から支持すると共に、第二アーム１８０を第一可動役物２００の右端部（第二端部）側に配置し、当該第二アーム１８０により第一可動役物２００を右端部（第二端部）側から支持することができる。
【００６３】
上述の如く構成された第一可動演出装置１００において、モータ１３０を駆動させることで、第一可動役物２００を第一位置と第二位置との間で往復移動させることができる。以下では、この第一可動演出装置１００の往復移動の様子について説明する。
【００６４】
まず、第一可動役物２００が第一位置にある場合について説明する。
【００６５】
「第一位置」とは、図８及び図９に示す第一可動役物２００の位置をいう。
第一可動役物２００が第一位置にある場合、回転部材１４０の回動軸１４１は最も左（モータ１３０の出力軸１３１（図１２参照）の左方）に移動している。
【００６６】
この場合、当該回動軸１４１に連結されている伝達アーム１５０も最も左に移動している。これによって、当該伝達アーム１５０に連結されている第一アーム１６０の延設部１６１が最も左に引っ張られるため、第一アーム１６０は第一支軸１１１を中心として正面視反時計回りに回動した状態となる。この状態においては、第一アーム１６０の右端側は最も上昇した位置にある。
【００６７】
第一アーム１６０の右端側が最も上昇した位置にあるため、当該第一アーム１６０の右端側に連結されている第一可動役物２００も最も上昇した位置にある。この場合、当該第一可動役物２００を介して第二アーム１８０も第二支軸１２１を中心として正面視時計回りに回動された状態となる。
【００６８】
第一可動役物２００が第一位置にある場合、図３に示すように、第一可動役物２００はセンター役物１２及び遊技板１０の背後に配置され、遊技者からは視認することができない。
【００６９】
なお、第一可動役物２００が第一位置にある場合、位置センサ１７０の発光部と受光部との間に第一アーム１６０の遮蔽片１６３が進入するため、当該位置センサ１７０は第一可動役物２００が第一位置にあることを検出することができる。
【００７０】
次に、第一可動役物２００が第一位置にある状態からモータ１３０を駆動させた場合について説明する。
【００７１】
図１１及び図１２に示すように、モータ１３０を駆動させて回転部材１４０を正面視時計回りに回転させると、当該回転部材１４０の回動軸１４１は右方に（より詳細には、出力軸１３１を中心とする円弧上を図１２における反時計回りに）移動する。
【００７２】
この場合、当該回動軸１４１に連結されている伝達アーム１５０も右方に移動する。これによって、当該伝達アーム１５０に連結されている第一アーム１６０の延設部１６１が第一支軸１１１を中心として正面視時計回りに回動するため、第一アーム１６０も第一支軸１１１を中心として正面視時計回りに回動し、第一アーム１６０の右端側は下降する。
【００７３】
第一アーム１６０の右端側が下降すると、第一可動役物２００の第一可動部材２０１が所定の方向（下方）に押し下げられる（下降する）ことになる。したがって、第一可動役物２００の左側部分が先行して下降する。そして、当該第一可動役物２００（第一可動部材２０１及び第二可動部材２０２）を介して第二アーム１８０の左端部が左斜め下方に引き下げられ、第一アーム１６０の回動に追従するように、第二アーム１８０が第二支軸１２１を中心として正面視反時計回りに回動され、第一可動役物２００の右側部分が下降する。このため、第一可動役物２００は、待機位置での姿勢（初期姿勢）に対し、左端部を左下方向に向けるように傾きながら下降する。
【００７４】
第一アーム１６０及び第二アーム１８０が上述の如く回動する際、第一可動部材２０１と第二可動部材２０２は適宜相対的に摺動する。これによって、第一アーム１６０及び第二アーム１８０は、滑らかに回動することができる。
【００７５】
第一アーム１６０が一定の角度以上回動すると、当該第一アーム１６０の右端部（第一可動部材２０１の回動軸２０１ｂ）が描く円の軌跡の接線方向と、第一可動部材２０１と第二可動部材２０２との相対的な摺動方向と、が略一致する。従って、第一アーム１６０が回動することによって第一可動部材２０１が第二可動部材２０２に対して相対的に下方に摺動（相対変位）するが、第二アーム１８０はほとんど回動しなくなる。
【００７６】
上述の如く第一アーム１６０を回動させることで、第一可動役物２００（第一可動部材２０１）を下降させ、センター役物１２（図３参照）の背後（上方）から液晶画面２６（図３参照）の前方（下方）に出現させることができる。また、この際の回動軸２０１ｂの下降量は、第二アーム１８０と第二可動部材２０２との連結部分の下降量よりも大きいため（図９及び図１２参照）、第一可動部材２０１の左端側（薙刀の刀身側）が右端側（薙刀の柄側）よりも大きく下降する。これによって、薙刀（第一可動部材２０１）が振り下ろされたような演出を行うことができる。さらに、第一可動部材２０１が第二可動部材２０２に対して相対的に下方に摺動（相対変位）することによって、薙刀（第一可動部材２０１）が突かれたような演出を行うことができる。
【００７７】
なお、図１１及び図１２に示す第一可動役物２００の位置を、「第二位置」とする。
【００７８】
第二ベース部材１２０の開口部１２２の下端の位置を、第二アーム１８０が最下位置（正面視で最も反時計回り方向に回動した位置）に達した際に当該第二アーム１８０と当接するような位置となるように形成することで、第一可動部材２０１の動きにつられて第二可動部材２０２及び第二アーム１８０が正面視反時計回りに回動するのを防止することができ、第一可動役物２００の第一位置から第二位置までの移動を滑らかに行うことができる。
【００７９】
第一可動役物２００が第二位置にある状態からさらにモータ１３０を駆動させると、伝達アーム１５０が左方に移動する。これによって、当該伝達アーム１５０に連結されている第一アーム１６０は第一支軸１１１を中心として正面視反時計回り（図１１及び図１２に示す矢印とは逆方向）に回動し、ひいては第一可動役物２００を第二位置から第一位置に戻るように移動させることができる。
【００８０】
次に、第二可動演出装置３００の構成について詳細に説明する。
【００８１】
図３から図５まで、及び図１３から図２１までに示す第二可動演出装置３００は、液晶画面２６に表示される図柄遊技に応じて可動し、遊技者に視覚的な印象（インパクト）を与えるためのものである。第二可動演出装置３００は、液晶画面２６の概ね下方に配置されるとともに、前後方向においてセンター役物１２と液晶画面２６との間、すなわちセンター役物１２よりも後方であって液晶画面２６よりも前方に配置される。第二可動演出装置３００は、主として、右側昇降機構３１０と、左側昇降機構３２０と、第二可動役物３３０と、により構成される。
【００８２】
図１３から図１６までに示す右側昇降機構３１０は、後述する第二可動役物３３０を、その右側から支持するとともに昇降移動させるためのものである。右側昇降機構３１０は、主として、モータ３１１と、出力ギヤ３１２と、右側支持部材３１３と、内側ガイドロッド３１４と、外側ガイドロッド３１５と、により構成される。
【００８３】
モータ３１１は、本発明に係る第二駆動源の実施の一形態であり、後述する右側支持部材３１３を昇降させるためのものである。
モータ３１１は、出力軸３１１ａを前方に向けた状態で配置される。モータ３１１は、後述する第二可動役物３３０の概ね右方に配置され、図示しない支持部材に適宜支持される。
【００８４】
出力ギヤ３１２は、モータ３１１からの駆動力を伝達するためのものである。
出力ギヤ３１２の中心部は、モータ３１１の出力軸３１１ａに相対回転不能となるように連結される。
【００８５】
右側支持部材３１３は、後述する第二可動役物３３０を支持するためのものである。
右側支持部材３１３は、主としてラック部３１３ａと、支持部３１３ｂと、により構成される。
【００８６】
ラック部３１３ａは、長手方向を上下方向に向けて配置される略直方体状の部分である。ラック部３１３ａには、内側（左方）に向けて歯が形成される（図１４及び図１６参照）。当該ラック部３１３ａの歯は、出力ギヤ３１２に歯合される。
【００８７】
支持部３１３ｂは、ラック部３１３ａの上下中途部から内側（左方）に向けて延設される略直方体状の部分である。
【００８８】
内側ガイドロッド３１４は、長手方向を上下方向に向けて配置される円柱状の部材である。内側ガイドロッド３１４は、出力ギヤ３１２の内側（左方）に配置され、図示しない支持部材に適宜支持される。
【００８９】
外側ガイドロッド３１５は、長手方向を上下方向に向けて配置される円柱状の部材である。外側ガイドロッド３１５は、出力ギヤ３１２の外側（右方）に配置され、図示しない支持部材に適宜支持される。
【００９０】
右側支持部材３１３のラック部３１３ａは外側ガイドロッド３１５に、支持部３１３ｂは内側ガイドロッド３１４に、それぞれ摺動可能に挿通される。これによって、右側支持部材３１３は内側ガイドロッド３１４及び外側ガイドロッド３１５の長手方向に沿って、すなわち上下方向に摺動可能となる。
【００９１】
図１３、図１４、図１７及び図１８に示す左側昇降機構３２０は、後述する第二可動役物３３０を、その左側から支持するとともに昇降移動させるためのものである。左側昇降機構３２０は、主として、モータ３２１と、出力ギヤ３２２と、第一伝達ギヤ３２３と、第二伝達ギヤ３２４と、左側支持部材３２５と、内側ガイドロッド３２６と、外側ガイドロッド３２７と、により構成される。
【００９２】
モータ３２１は、本発明に係る第二駆動源の実施の一形態であり、後述する左側支持部材３２５を昇降させるためのものである。
モータ３２１は、出力軸３２１ａを前方に向けた状態で配置される。モータ３２１は、後述する第二可動役物３３０の概ね左方に配置され、図示しない支持部材に適宜支持される。
【００９３】
出力ギヤ３２２は、モータ３２１からの駆動力を伝達するためのものである。
出力ギヤ３２２の中心部は、モータ３２１の出力軸３２１ａに相対回転不能となるように連結される。
【００９４】
第一伝達ギヤ３２３は、出力ギヤ３２２からの駆動力を伝達するためのものである。
第一伝達ギヤ３２３は、出力ギヤ３２２の下方に配置されるとともに、図示しない軸によって回転可能に支持される。当該第一伝達ギヤ３２３は、出力ギヤ３２２に歯合される。
【００９５】
第二伝達ギヤ３２４は、第一伝達ギヤ３２３からの駆動力を伝達するためのものである。
第二伝達ギヤ３２４は、第一伝達ギヤ３２３の左下方に配置されるとともに、図示しない軸によって回転可能に支持される。当該第二伝達ギヤ３２４は、第一伝達ギヤ３２３に歯合される。
【００９６】
左側支持部材３２５は、後述する第二可動役物３３０を支持するためのものである。
左側支持部材３２５は、主としてラック部３２５ａと、支持部３２５ｂと、により構成される。
【００９７】
ラック部３２５ａは、長手方向を上下方向に向けて配置される略直方体状の部分である。ラック部３２５ａには、内側（右方）に向けて歯が形成される（図１４及び図１８参照）。当該ラック部３２５ａの歯は、第二伝達ギヤ３２４に歯合される。
【００９８】
支持部３２５ｂは、ラック部３２５ａの上下中途部から内側（右方）に向けて延設される略直方体状の部分である。
【００９９】
内側ガイドロッド３２６は、長手方向を上下方向に向けて配置される円柱状の部材である。内側ガイドロッド３２６は、出力ギヤ３２２の内側（右方）に配置され、図示しない支持部材に適宜支持される。
【０１００】
外側ガイドロッド３２７は、長手方向を上下方向に向けて配置される円柱状の部材である。外側ガイドロッド３２７は、出力ギヤ３２２の外側（左方）に配置され、図示しない支持部材に適宜支持される。
【０１０１】
左側支持部材３２５のラック部３２５ａは外側ガイドロッド３２７に、支持部３２５ｂは内側ガイドロッド３２６に、それぞれ摺動可能に挿通される。これによって、左側支持部材３２５は内側ガイドロッド３２６及び外側ガイドロッド３２７の長手方向に沿って、すなわち上下方向に摺動可能となる。
【０１０２】
図１３から図１８までに示す第二可動役物３３０は、移動することにより演出を行い、遊技者に印象（インパクト）を与えるためのものである。
第二可動役物３３０は、長手方向を左右方向に向けて配置される略直方体状の部材である。第二可動役物３３０の前面や側面には、模様や文字等の装飾が適宜施される。第二可動役物３３０の右端部は、右側昇降機構３１０の右側支持部材３１３の支持部３１３ｂに連結され、第二可動役物３３０の左端部は、左側昇降機構３２０の左側支持部材３２５の支持部３２５ｂに連結される。
【０１０３】
上述の如く構成された第二可動演出装置３００において、モータ３１１及びモータ３２１を駆動させることで、第二可動役物３３０を第三位置と第四位置との間で往復移動させることができる。以下では、この第二可動演出装置３００の往復移動の様子について説明する。
【０１０４】
まず、第二可動役物３３０が第三位置にある場合について説明する。
【０１０５】
「第三位置」とは、図１３及び図１４に示す第二可動役物３３０の位置をいう。
第二可動役物３３０が第三位置にある場合、当該第二可動役物３３０を支持している右側支持部材３１３及び左側支持部材３２５は最も下方まで摺動（下降）している。
【０１０６】
次に、第二可動役物３３０が第三位置にある状態からモータ３１１及びモータ３２１を駆動させた場合について説明する。
【０１０７】
図１９及び図２０に示すように、モータ３１１を駆動させて出力ギヤ３１２を正面視反時計回りに回転させると、当該出力ギヤ３１２に連動して右側支持部材３１３が上方に摺動（上昇）する。
【０１０８】
また、モータ３１１を駆動させるのと同時に、モータ３２１を駆動させて出力ギヤ３２２を正面視時計回りに回転させると、第一伝達ギヤ３２３及び第二伝達ギヤ３２４を介して当該出力ギヤ３２２と連動して左側支持部材３２５が上方に摺動（上昇）する。
【０１０９】
このように、右側支持部材３１３及び左側支持部材３２５を同時に上昇させることで、当該右側支持部材３１３及び左側支持部材３２５に支持された第二可動役物３３０を上昇させることができる。
【０１１０】
なお、図１９及び図２０に示す第二可動役物３３０が最も上方まで摺動（上昇）した位置を、「第四位置」とする。
【０１１１】
次に、第二可動役物３３０が第四位置から第三位置に戻す場合について説明する。
【０１１２】
第二可動役物３３０を第四位置（図１９及び図２０参照）から第三位置（図１３及び図１４参照）に戻す場合、モータ３１１及びモータ３２１を上記とは逆方向に駆動させる。この場合、出力ギヤ３１２は正面視時計回りに、出力ギヤ３２２は正面視反時計回りにそれぞれ回転し、右側支持部材３１３及び左側支持部材３２５は下方に摺動（下降）する。このようにして、第二可動役物３３０を再び第三位置に移動させることができる。
【０１１３】
ここで、第一可動演出装置１００の第一可動役物２００と第二可動演出装置３００の第二可動役物３３０との位置関係について説明する。
【０１１４】
図２１に二点鎖線で示すように、第二可動演出装置３００の第二可動役物３３０が第四位置にあるときに第一可動演出装置１００の第一可動役物２００が第二位置に移動した場合、当該第一可動役物２００と第二可動役物３３０とが干渉（衝突）する。
一方、第二可動役物３３０が第三位置にある場合（図中の実線参照）は、第一可動役物２００は干渉（衝突）することなく第二位置（図中の二点鎖線参照）に移動することができる。
【０１１５】
次に、規制部材４００の構成について詳細に説明する。
【０１１６】
図５、図１７及び図１８に示す規制部材４００は、第一可動役物２００の第一位置から第二位置への移動を禁止又は許容するためのものである。
規制部材４００は、左側昇降機構３２０のモータ３２１の上方であって、回転部材１４０の下方に配置される。規制部材４００は、主として本体部４１０と、係合部４２０と、掛止部４３０と、により構成される。
【０１１７】
本体部４１０は、長手方向を上下方向に向けて配置される略矩形板状の部分である。本体部４１０は、その板面を前後方向に向けて配置される。本体部４１０の上部及び下部には、それぞれ長孔４１１・４１１が形成される。長孔４１１・４１１は、長手方向を上下方向に向けて、互いに所定間隔をおいて上下に並べて設けられる。長孔４１１・４１１の間隔は、第一ベース部材１１０のガイド軸１１３・１１３の間隔と同一となるように設定される。
【０１１８】
係合部４２０は、長手方向を左右方向に向けて配置される略矩形板状の部分である。係合部４２０は、その板面を前後方向に向けて配置される。係合部４２０は、本体部４１０の上端部から右方向に向けて延設される。
【０１１９】
掛止部４３０は、後述するスプリング４５０を掛止するためのものである。掛止部４３０は、本体部４１０の下端部の右側面に設けられる。掛止部４３０はフック状に形成され、当該フック状の部分にスプリング４５０の端部を掛止することができる。
【０１２０】
上述の如く構成された規制部材４００は、長孔４１１・４１１に第一ベース部材１１０のガイド軸１１３・１１３を挿通されることで、当該長孔４１１・４１１の長手方向に沿って、すなわち上下方向に摺動可能となる。
【０１２１】
また、規制部材４００は、スプリング４５０によって常時上方に付勢される。
スプリング４５０は、引っ張りコイルばねで構成される。スプリング４５０の一端部は、規制部材４００の掛止部４３０に掛止され、スプリング４５０の他端部は、第一ベース部材１１０の掛止部１１４に掛止される（図５参照）。このように構成することで、規制部材４００はスプリング４５０によって常時上方に付勢されることになる。
【０１２２】
次に、規制制御機構５００の構成について詳細に説明する。
【０１２３】
図１７、図１８及び図２２に示す規制制御機構５００は、第二可動役物３３０と規制部材４００とを機械的に連結するためのものである。規制制御機構５００は、主として連動部材５１０と、連結棒５２０と、連結部材５３０と、を具備する。
【０１２４】
連動部材５１０は、本発明に係る規制制御部材の実施の一形態であり、第二可動役物３３０（より詳細には、左側支持部材３２５）が第四位置から第三位置に向けて下降するときの経路上に配置され、第二可動役物３３０の昇降移動に連動して移動する部材である。連動部材５１０は、長手方向を上下方向に向けて配置される略矩形板状の部材である。
連動部材５１０の下端部には、その前面から前方に向かって突出するように当接部５１１が形成される。当該当接部５１１は、左側支持部材３２５の支持部３２５ｂと平面視で重複する位置（支持部３２５ｂの真下）まで前方に延設される。
連動部材５１０の上部及び下部には、それぞれ長孔５１２・５１２が形成される。長孔５１２・５１２は、長手方向を上下方向に向けて、互いに所定間隔をおいて上下に並べて設けられる。長孔５１２・５１２の長手方向長さは、規制部材４００の長孔４１１・４１１の長手方向長さと同一となるように設定される。当該長孔５１２・５１２には、図示しない支持部材に設けられたガイド軸５１３・５１３が挿通される。これによって、連動部材５１０は長孔５１２・５１２の長手方向に沿って、すなわち上下方向に摺動可能となる。
なお、連動部材５１０の上下方向への摺動ストロークは、第二可動役物３３０の昇降ストロークよりも短くされる。また、連動部材５１０は、図１７に示すように、第二可動役物３３０が第三位置（最も下に位置する状態）にあるときに、最下点に位置すると共に、当接部５１１が第二可動役物３３０に当接し、一方、図１９に示すように、第二可動役物３３０が第四位置（最も上に位置する状態）にあるときには、最上点に位置すると共に、当接部５１１と第二可動役物３３０（より詳細には、第二可動役物３３０を支持する左側支持部材３２５の支持部３２５ａ）の間に所定の間隔Ｌを形成するように配置される。
【０１２５】
連結棒５２０は、一定以上の剛性を有する細長い棒状の部材である。連結棒５２０の下端は、連動部材５１０の後面に連結される。
【０１２６】
連結部材５３０は、長手方向を右上方から左下方へと向けて配置される略矩形板状の部材である。連結部材５３０の一端（上端）は、規制部材４００の本体部４１０の下端と連結される。連結部材５３０の他端（下端）は、連結棒５２０の上端と連結される。
【０１２７】
なお、図１７及び図１８に示すように、ガイド軸１１３・１１３が規制部材４００の長孔４１１・４１１の上端部に当接している場合には、ガイド軸５１３・５１３も連動部材５１０の長孔５１２・５１２の上端部に当接するように、規制部材４００と連動部材５１０との上下方向距離（すなわち、連結棒５２０及び連結部材５３０の上下方向長さ）が調節される。
【０１２８】
以下では、上述の如く構成された規制部材４００及び規制制御機構５００の動作態様について説明する。
【０１２９】
まず、図２３から図２５までに示すように、第一可動役物２００が第一位置に、第二可動役物３３０が第四位置に、それぞれ位置している場合について説明する。
【０１３０】
この場合、規制部材４００は、スプリング４５０の付勢力によって、ガイド軸１１３・１１３が長孔４１１・４１１の下端に当接する位置まで上方に摺動している。
【０１３１】
この規制部材４００の位置を、「禁止位置」とする。
【０１３２】
規制部材４００が禁止位置にある場合、当該規制部材４００の係合部４２０が回転部材１４０の切欠部１４２に係合する。この状態においては、モータ１３０が駆動して回転部材１４０が正面視時計回りに回転しようとしても、当該回転部材１４０の切欠部１４２が規制部材４００の係合部４２０に当接することによって、当該回転部材１４０の回転が規制（禁止）される。すなわち、回転部材１４０を介してモータ１３０の駆動（出力軸１３１の回転）が禁止される。
【０１３３】
このように、規制部材４００が禁止位置にある場合、回転部材１４０の回転が規制されるため、第一可動役物２００は第一位置に保持され、第二位置への移動が規制（禁止）されることになる。
【０１３４】
次に、図２６から図２８までに示すように、第一可動役物２００が第一位置にある状態で、第二可動役物３３０が第四位置から第三位置に移動した場合について説明する。
【０１３５】
第二可動役物３３０が第四位置にある場合は、第二可動役物３３０（より詳細には、第二可動役物３３０を支持する左側支持部材３２５の支持部３２５ａ）と連動部材５１０の当接部５１１とが離間し、両者の間には間隙Ｌが存在する（図１９参照）。そして、第二可動役物３３０が第三位置への下降を開始した後、その移動量が間隙Ｌに相当する距離に達するまでは、第二可動役物３３０と当接部５１１が離間した状態が継続され、規制部材４００の位置が禁止位置に維持される。その後、第二可動役物３３０の下降量が間隙Ｌに相当する距離に達すると、当該第二可動役物３３０を支持している左側支持部材３２５（支持部３２５ｂ）が連動部材５１０の当接部５１１に上方から当接し、当該連動部材５１０を下方に押し下げる。当該連動部材５１０は、ガイド軸５１３・５１３が長孔５１２・５１２の上端に当接する位置まで下降する。
【０１３６】
連動部材５１０が下降すると、連結棒５２０を介して連結部材５３０も当該連動部材５１０と同じ距離だけ（すなわち、ガイド軸１１３・１１３が長孔４１１・４１１の上端に当接する位置まで）下降する。
【０１３７】
この規制部材４００の位置を、「許容位置」とする。
【０１３８】
規制部材４００が許容位置にある場合、当該規制部材４００と回転部材１４０とが離間し、当該規制部材４００の係合部４２０と回転部材１４０の切欠部１４２との係合が解除される。この状態においては、モータ１３０が駆動して回転部材１４０が正面視時計回りに回転することが可能となる（回転部材１４０の回転が許容される）。すなわち、モータ１３０の駆動（出力軸１３１の回転）が許容される。
【０１３９】
このように、規制部材４００が許容位置にある場合、回転部材１４０の回転が許容されるため、第一可動役物２００の第一位置から第二位置への移動が許容される。
【０１４０】
この状態でモータ１３０が駆動されると、図２９に示すように、第一可動役物２００は第二位置へと移動する。この場合において、第二可動役物３３０は第三位置まで下降しているため、第一可動役物２００と第二可動役物３３０とが干渉（衝突）することはない。
また、規制部材４００の禁止位置から許容位置に向けての移動は、第二可動役物３３０の下降量が間隙Ｌに相当する距離に達するまではなされない。すなわち、規制部材４００の許容位置への移動は、第二可動役物３３０の下降開始から遅れて開始されるため、第二可動役物３３０が第四位置から下降し始めて直ちに禁止状態が解除されることはない。このため、第二可動役物３３０の下降途中で第一可動役物２００（より詳細には、モータ１３０）に作動信号が入力されたとしても、第一可動役物２００の作動を禁止することができ、第一可動役物２００と第二可動役物３３０との干渉を適切に防止することができる。
【０１４１】
また、第二可動役物３３０が第三位置から第四位置に移動（上昇）すると、スプリング４５０の付勢力によって規制部材４００が再び禁止位置まで上昇する。これによって、再び第一可動役物２００の第二位置への移動が規制（禁止）されることになる。
なお、第二可動役物３３０の第三位置から第四位置への移動時は、第二可動役物３３０の上昇に伴って連結部材５１０が直ちに上昇するため、規制部材４００の許容位置から禁止位置への移動が速やかに開始され、迅速に禁止状態へと移行することができる。このため、第二可動役物３３０の上昇途中で第一可動役物２００（より詳細には、モータ１３０）に作動信号が入力されたとしても、第一可動役物２００の作動を禁止することができ、第一可動役物２００と第二可動役物３３０との干渉を適切に防止することができる。
【０１４２】
以上の如く、本実施形態に係る遊技機１は、第一位置と第二位置との間で移動自在に構成される第一可動役物２００と、第一可動役物２００を駆動するモータ１３０（第一駆動源）と、第三位置と第四位置との間で移動自在に構成され、当該第四位置にある場合、前記第二位置にある第一可動役物２００と物理的に干渉するように配置される第二可動役物３３０と、第二可動役物３３０を駆動するモータ３１１及びモータ３２１（第二駆動源）と、を備えた遊技機１において、第一可動役物２００の前記第一位置から前記第二位置への移動を禁止する禁止位置と、第一可動役物２００の前記第一位置から前記第二位置への移動を許容する許容位置と、の間で移動自在に構成される規制部材４００と、規制部材４００を前記禁止位置に向けて付勢するスプリング４５０（付勢手段）と、規制部材４００に連結されると共に、第二可動役物３３０が前記第四位置から前記第三位置に向けて移動するときの経路上に変位可能に配置され、第二可動役物３３０の前記第四位置から前記第三位置への移動時には、第二可動役物３３０が当接して第二可動役物３３０により押圧されて移動することで、規制部材４００をスプリング４５０の付勢力に抗して前記許容位置に移動させる一方、第二可動役物３３０の前記第三位置から前記第四位置への移動時には、スプリング４５０の付勢力により規制部材４００と共に移動して規制部材４００を前記禁止位置に移動させる連動部材５１０（規制制御部材）と、を具備することを特徴とするものである。
【０１４３】
また、本実施形態に係る遊技機１は、前記第一駆動源としてのモータ１３０と、当該モータ１３０の出力軸１３１に相対回転不能に連結され、当該出力軸１３１と一体的に回転する回転部材１４０と、を備え、規制部材４００は、前記禁止位置にある場合、回転部材１４０に当接してモータ１３０の回転を禁止し、前記許容位置にある場合、回転部材１４０から離間してモータ１３０の回転を許容することを特徴とするものである。
【０１４４】
このように構成することにより、第二可動役物３３０が第四位置から第三位置に向けて移動するのに応じて第一可動役物２００の第一位置から第二位置への移動を許容する動作と、第二可動役物３３０が第四位置から第三位置に向けて移動するのに応じて第一可動役物２００の第一位置から第二位置への移動を禁止する動作との切り換えを機械的に行うことができるため、遊技機１に設けられる位置センサの出力や制御プログラムと独立して第一可動役物２００の移動を規制することができ、当該位置センサの故障や制御プログラムのバグ等が生じても役物（第一可動役物２００及び第二可動役物３３０）同士の干渉（衝突）を回避することができる。
【０１４５】
なお、第一可動役物２００及び第二可動役物３３０の形状は、本実施形態に係るものに限らず任意の形状に形成することが可能である。
【０１４６】
また、本実施形態に係る第二可動演出装置３００の右側昇降機構３１０及び左側昇降機構３２０は互いに独立して駆動することが可能である。したがって、第二可動役物３３０を長手方向（左右方向）に伸縮可能に構成し、右側昇降機構３１０と左側昇降機構３２０との上下方向位置を相対的にずらすように昇降駆動することで、当該第二可動役物３３０を伸縮させるとともに斜めに傾けるような演出を行うことも可能である。
【０１４７】
また、本実施形態において、第一可動演出装置１００は液晶画面２６の概ね上方に、第二可動演出装置３００は液晶画面２６の概ね下方に、それぞれ配置されるものとしたが、第一可動演出装置１００及び第二可動演出装置３００の配置位置はこれに限るものではない。例えば、第一可動演出装置１００を液晶画面２６の概ね左方に、第二可動演出装置３００を液晶画面２６の概ね右方に、それぞれ配置すること等が可能である。
【０１４８】
また、第一可動役物２００を第一位置と第二位置との間で往復移動させるための機構、及び第二可動役物３３０を第三位置と第四位置との間で往復移動させるための機構は、本実施形態に係る構成に限らず、他のリンク機構等を用いて種々の構成とすることが可能である。
【０１４９】
また、規制部材４００及び回転部材１４０の形状は本実施形態に係るものに限らず、第一可動役物２００の第二位置への移動を禁止することが可能な形状であれば良い。
【０１５０】
また、規制制御機構５００の構成は本実施形態に係るものに限らず、第二可動役物３３０と規制部材４００とを機械的に連結し、当該第二可動役物３３０が第四位置にあるときに当該規制部材４００を禁止位置に移動させ、当該第二可動役物３３０が第三位置にあるときに当該規制部材４００を許容位置に移動させることができるものであれば良い。
【０１５１】
また、本実施形態において、スプリング４５０は規制部材４００に掛止され、当該規制部材４００を上方に付勢するものとしたが、例えば連動部材５１０、連結棒５２０又は連結部材５３０に掛止され、それらを上方に付勢する構成とすることも可能である。
【０１５２】
また、本実施形態においては、モータ１３０の出力軸に連結した回転部材１４０に規制部材４００を当接させて第一可動役物２００の第一位置から第二位置への移動を禁止するものとしたが、例えば、第一可動役物２００の第一アーム１６０や、第一アーム１６０とモータ１３０を繋ぐ伝達アーム１５０等、回転部材１４０以外の部材に規制部材を当接させて第一可動役物２００の第一位置から第二位置への移動を禁止するようにしても良い。
【０１５３】
以下では、図３０及び図３１を用いて、遊技機１の第二実施形態について説明する。
【０１５４】
第二実施形態が第一実施形態と異なる点は、規制制御機構５００を具備しない点、並びに規制部材４００及び左側支持部材３２５の形状が異なる点である。以下、当該相違点を中心に説明を行う。
【０１５５】
図３０に示す第二実施形態に係る規制部材４００は、第一実施形態に係る規制部材４００（図２５等参照）に比べて本体部４１０の上下方向長さが長くなるように形成される。当該規制部材４００の本体部４１０の上下略中央部から下部にわたって、長手方向を上下方向に向けた長孔４１２が形成され、この長孔４１２及びその下端４１２ａが規制制御部材として機能する。
【０１５６】
左側支持部材３２５の支持部３２５ｂには、その後面から後方に向けて係合軸３２５ｃが突設される。当該係合軸３２５ｃは、規制部材４００の長孔４１２に挿通される。
【０１５７】
このように構成された遊技機１において、第二可動役物３３０が第四位置から第三位置まで下降すると、当該第二可動役物３３０を支持する左側支持部材３２５及び係合軸３２５ｃも下降する。
【０１５８】
第二可動役物３３０が第三位置近傍まで下降した時点で、係合軸３２５ｃが規制部材４００の長孔４１２の下端４１２ａと当接する。この状態からさらに第二可動役物３３０が第三位置まで下降すると、係合軸３２５ｃを介して規制部材４００が押し下げられる（図３１参照）。
【０１５９】
規制部材４００が下降することによって、当該規制部材４００と回転部材１４０との係合が解除され、当該回転部材１４０は回転することが可能となる。
【０１６０】
第二実施形態で示したように、規制部材４００を左側昇降機構３２０の左側支持部材３２５で直接押し下げる構成とすることも可能である。
【符号の説明】
【０１６１】
１：遊技機，６：遊技盤，１００：第一可動演出装置，１３０：モータ，１３１：出力軸，１４０：回転部材，２００：第一可動役物，３００：第二可動演出装置，３３０：第二可動役物，４００：規制部材，４５０：スプリング，５００：規制制御機構
【図１】
0005673413.tif 000002
【図２】
0005673413.tif 000003
【図３】
0005673413.tif 000004
【図４】
0005673413.tif 000005
【図５】
0005673413.tif 000006
【図６】
0005673413.tif 000007
【図７】
0005673413.tif 000008
【図８】
0005673413.tif 000009
【図９】
0005673413.tif 000010
【図１０】
0005673413.tif 000011
【図１１】
0005673413.tif 000012
【図１２】
0005673413.tif 000013
【図１３】
0005673413.tif 000014
【図１４】
0005673413.tif 000015
【図１５】
0005673413.tif 000016
【図１６】
0005673413.tif 000017
【図１７】
0005673413.tif 000018
【図１８】
0005673413.tif 000019
【図１９】
0005673413.tif 000020
【図２０】
0005673413.tif 000021
【図２１】
0005673413.tif 000022
【図２２】
0005673413.tif 000023
【図２３】
0005673413.tif 000024
【図２４】
0005673413.tif 000025
【図２５】
0005673413.tif 000026
【図２６】
0005673413.tif 000027
【図２７】
0005673413.tif 000028
【図２８】
0005673413.tif 000029
【図２９】
0005673413.tif 000030
【図３０】
0005673413.tif 000031
【図３１】
0005673413.tif 000032